(57)【要約】      （修正有）【課題】  長期間有効に使用可能で、保守又は交換が最小限でよい、モーターシャフト上の静電荷を緩和するための接地ブラシを提供すること。【解決手段】  モーターシャフト１４上の静電荷を緩和するための接地ブラシが、シャフトの周囲の環状フレームに固定された複数のフィラメント２０を含み、フィラメントの先端が環状フレームによって形成されたチャネル内に配設される。導電性粉末が、シャフトからフィラメントへの電流の流れを増進させるためにチャネル内に準備される。【選択図】      図５
2005124391.tif 000002
【特許請求の範囲】
【請求項１】
電気的に接地されたモーターハウジングと；
前記ハウジング内に配設され且つ前記モーターの運転の間に回転されるモーターシャフトと；
前記シャフト及び前記ハウジングと協働する静電荷放散組立体と；を具備する電動モーターであって、前記静電荷放散組立体が：
前記シャフトの周囲で前記ハウジングに固定されて電気的に接続された環状フレームであって、前記シャフトを実質的に取り囲む環状チャネルを形成する環状フレームと；
前記環状フレームに電気的に接続された複数の導電性フィラメントであって、前記シャフト上の静電荷に起因する電場の中でイオン化を引き起こすのに十分なほど小さい複数の導電性フィラメントであり、また前記環状チャネルに配設される遠位端を有する複数の導電性フィラメントと；を含む静電荷放散組立体である、電動モーター。
【請求項２】
前記静電荷放散組立体が環状板を含む、請求項１に記載の電動モーターであって、前記フィラメントの対向する遠位端部が前記環状チャネルの中に延びた状態で、前記フィラメントが前記環状板に部分的に巻きつく、電動モーター。
【請求項３】
前記環状チャネルに配設された導電性粉末を含む、請求項１に記載の電動モーター。
【請求項４】
前記導電性粉末が、ペーストを形成するために油と混合される、請求項３に記載の電動モーター。
【請求項５】
前記静電荷放散組立体が環状板を含む、請求項３に記載の電動モーターであって、前記フィラメントの対向する遠位端部が前記環状チャネルの中に延びた状態で、前記フィラメントが前記環状板に部分的に巻きつく、電動モーター。
【請求項６】
前記フィラメントが、前記シャフトが少なくとも休止しているとき前記フィラメントの先端が前記シャフトに接触するのに十分な長さのものである、請求項５に記載の電動モーター。
【請求項７】
外側リングと、前記外側リングの中で前記環状板及び前記フィラメントの対向する側に配設された第一及び第二保持リングとを前記環状フレームが含む、請求項５に記載の電動モーター。
【請求項８】
前記環状フレームが、前記環状チャネルを覆う内側リングを更に含む、請求項７に記載の電動モーター。
【請求項９】
前記第一及び第二保持リングの各々が、前記シャフトに向き合う環状凹部と、前記環状凹部から汚染物質を排出するためのドレイン穴とを有する、請求項７に記載の電動モーター。
【請求項１０】
前記シャフトと共に回転するローターを有する、請求項１に記載の電動モーターであって、前記フィラメントの遠位端が前記ローターに直面した状態で、前記フィラメントが前記シャフトにほぼ平行に配列される、電動モーター。
【請求項１１】
前記フィラメントが、前記シャフトが少なくとも休止しているとき前記フィラメントの先端が前記シャフトに接触するのに十分なほどの長さのものである、請求項１に記載の電動モーター。
【請求項１２】
前記フィラメントが束の形で配列される、請求項１に記載の電動モーター。
【請求項１３】
前記環状フレームが第一及び第二フレーム部材を含み、一方の前記フレーム部材が他方の前記フレーム部材の中に固定される、請求項１に記載の電動モーター。
【請求項１４】
外側リングと、前記外側リングの中で前記フィラメントの対向する側に配設された第一及び第二保持リングとを前記環状フレームが含む、請求項１に記載の電動モーター。
【請求項１５】
モーターのシャフトと協働するための静電荷放散組立体であって：
環状チャネルを形成する第一及び第二フレーム部材を含む環状フレームと；
前記環状フレームに電気的に接続された複数の導電性フィラメントであって、電場の中でイオン化を引き起こすのに十分なほど小さい複数の導電性フィラメントであり、また前記第一フレーム部材と前記第二フレーム部材との間に保持され、また前記環状チャネル内に配設される遠位端部を有する複数の導電性フィラメントと；を具備する、静電荷放散組立体。
【請求項１６】
環状板を含む、請求項１５に記載の静電荷放散組立体であって、前記フィラメントの対向する遠位端部が前記環状チャネルの中に延びた状態で、前記フィラメントが前記環状板に部分的に巻きつく、静電荷放散組立体。
【請求項１７】
前記環状チャネル内に配設された導電性粉末を含む、請求項１５に記載の静電荷放散組立体。
【請求項１８】
前記導電性粉末が、ペーストを形成するために油と混合される、請求項１７に記載の静電荷放散組立体。
【請求項１９】
外側リングと、前記外側リングの中で前記フィラメントの対向する側に配設された第一及び第二保持リングとを前記環状フレームが含む、請求項１５に記載の静電荷放散組立体。
【請求項２０】
前記環状チャネル内に配設された導電性粉末を含む、請求項１９に記載の静電荷放散組立体。
【請求項２１】
前記環状フレームが、前記環状チャネルを覆う内側リングを更に含む、請求項２０に記載の静電荷放散組立体。
【請求項２２】
フェースプレートを有する電気的に接地されたモーターハウジングと；
前記ハウジング内に配設されて、前記フェースプレートの穴を通って延びるモーターシャフトと；
前記シャフトの周囲に配設されて、前記フェースプレートの前記穴の中に固定される静電荷放散組立体と；を具備する電動モーターであって、前記静電荷放散組立体が：
前記シャフトの周囲で前記穴に固定された環状フレームであって、前記シャフトを実質的に取り囲む環状チャネルを形成する第一及び第二フレーム部材を含む環状フレームと；
前記フレーム部材の間に保持された複数の導電性フィラメントであって、前記シャフト上の静電荷に起因する電場の中でイオン化を引き起こすのに十分なほど小さい複数の導電性フィラメントであり、また前記環状チャネル内に配設される遠位端部を有する複数の導電性フィラメントと；を含む静電荷放散組立体である、電動モーター。
【請求項２３】
前記環状チャネル内に配設された導電性粉末を含む、請求項２２に記載の電動モーター。
【発明の詳細な説明】
【技術分野】
【０００１】
本発明は、可変速ドライバにより制御される交流モーター又は直流モーターにおいて生み出されるシャフト電流を制御するための接地装置に関するものであり、より詳しくは非接触接地装置に関するものである。
【背景技術】
【０００２】
軸誘導電流は、電動モーターで経験され、また可変速ドライバによって駆動される三相モーターで普通に経験される。可変速ドライバは、パルス幅変調技術を使って交流モーターの速度を変化させ、そのことによってより高価な直流モーターが以前は使用されていた用途に安価な交流モーターを使用することを可能にする。可変速ドライバをもつ交流モーターの使用に対する欠点は、より高い同相電圧（ＣＭＶ）が、軸誘導電流を増大させる可変速ドライバによって生み出されることである。
【０００３】
モーターシャフトにおける電圧は、シャフト軸受を通ってモーターフレームへそして次にアースへ流れる電流を引き起こす。モーターが動作している間、軸受けは、電流の流れに対してより抵抗するようになり、シャフト表面上へ電荷の蓄積を引き起こす。ＣＭＶは短時間で電荷を高レベルに増大させる。普通はシャフト上のボールベアリングを通る最小電気抵抗パスの閾値を電荷が越えるとき、電気エネルギーの瞬間的バースト又は放電がベアリングを通過する。この放電は、放電加工（ＥＤＭ）を引き起こし、前記放電加工（ＥＤＭ）が、ベアリング軌道輪表面とベアリング内のボールの表面に損傷を与える。電気エネルギーのバーストは溶融クレータを生み出し、またクレータの形成からの微粒子がシールベアリングの内部に残る。溶融クレータとベアリング内の微粒子物質の両方が、ベアリングの自由回転を妨げるように作用し、このことが物理的損傷と早すぎるベアリングの故障とに導く。
【０００４】
多くの緩和技術が、この問題を克服することを企てて使用されてきた。公知の試みは、導電性ベアリンググリスを使用すること、及びベアリングを絶縁すること、及び銅／燐ブラシとファラデーシールドを使用することを含む。使用されてきた普通のいくらか費用効果の高い解決法は、電流の連続する流れをアースに供給する、ばね押し式銅ブラシを使用してシャフトを接地することである。しかしながら、銅ブラシは、急速に消耗して、頻繁な定期保守及び交換を必要とする。更に、シャフトに形成された酸化物、及びブラシとシャフトとの間のバリヤが電流の流れを減少させて、ブラシとシャフトとの間の電気エネルギーのバーストを引き起こす。ばね押し式ブラシは、ブラシとシャフト表面との間の交互摩擦性スティックスリップ関係に起因して振動しがちでもある。ブラシの振動は、何が原因であろうとも、望ましくない火花発生という結果になる。
【発明の開示】
【発明が解決しようとする課題】
【０００５】
本技術分野で必要なものは、長期間有効に使用可能で、最小限の保守又は交換でよい接地システムである。
【課題を解決するための手段】
【０００６】
本発明は、シャフトを取り囲むホルダ内の導電性フィラメントを含む接地装置を提供する。ブラシは、絶縁されたシャフト上の、又は絶縁されたローラー上の電荷量を減少させるために非接触イオナイザとして使用可能である。
【０００７】
本発明の一態様では、本発明は、電気的に接地されたモーターハウジングと、該ハウジング内に配設されてモーターの運転の間に回転するモーターシャフトと、該シャフト及び前記ハウジングと協働する静電荷放散組立体とを有する電動モーターを提供する。静電荷放散組立体は、シャフトの周囲でハウジングに固定されて電気的に接続された環状フレームを含む。フレームは、シャフトを実質的に取り囲む環状チャネルを形成する。複数の導電性フィラメントが環状フレームに電気的に接続され、該フィラメントは、シャフト上の静電荷に起因する電場の中でイオン化を引き起こすのに十分なほど小さいものである。フィラメントは環状チャネル内に配設された遠位端部を有する。
【０００８】
本発明の別の態様では、本発明は、モーターのシャフトと協働する静電荷放散組立体を提供する。静電荷放散組立体は、環状チャネルを形成する第一及び第二フレーム部材を含む環状フレームを有する。導電性フィラメントが、環状フレームに電気的に接続され、また導電性フィラメントは電場の中でイオン化を引き起こすのに十分なほど小さい。フィラメントは、第一フレーム部材と第二フレーム部材との間に保持され、またチャネル内に配設される遠位端部を有する。
【０００９】
本発明の更に別の態様では、本発明は、フェースプレートを有する電気的に接地されたモーターハウジングと、ハウジング内に配設されてフェースプレート内の穴を通って延びるモーターシャフトと、シャフトの周囲に配設され且つフェースプレートの穴の中に固定された静電荷放散組立体とを有する電動モーターを提供する。静電荷放散組立体は、シャフトの周囲に環状フレームを含んでおり、前記環状フレームは前記穴に固定される。第一及び第二フレーム部材は、シャフトを実質的に取り囲む環状チャネルを形成する。導電性フィラメントがフレーム部材の間に保持され、また導電性フィラメントは、シャフト上の静電荷に起因する電場の中でイオン化を引き起こすのに十分なほど小さい。フィラメントはチャネル内に配設された遠位端部を有する。
【００１０】
本発明の利点は、電動モーターの軸電流を低減するための効果的な導電ブラシ組立体を提供していることである。
【００１１】
本発明の他の利点は、点検、保守、又は交換なしで長期間有効に機能する電動モーター用接地装置を提供していることである。
【００１２】
本発明の更に別の利点は、向上された電気伝導度を装置の向上された接地性能のために有する導電ブラシシステムを提供することである。
【００１３】
本発明の更に別の利点は、異なるサイズのモーターに容易に適用可能な電動モーター用接地装置を提供していることである。
【００１４】
本発明の他の特徴及び利点は、次の詳細な説明、及び特許請求の範囲の請求項、及び図面を考察することにより当業者には明らかになるであろう。また図面においては、同じ参照符号は同じ特徴を指示するように使用されている。
【００１５】
本発明の実施例が詳細に説明される前に、本発明がその適用において、次の説明で述べられ又は添付図面で図解された構成要素の配列及び構造の詳細に限定されないことが理解されるべきである。本発明は、他の実施態様が可能であり、また様々な様態で実施又は実行可能である。また、本明細書で用いられる表現及び用語は説明のためのものであって限定するようにみなすべきでないことも理解されるべきである。“含む”及び“具備する”及びそれらのバリエーションの本明細書における使用法は、今後挙げられる品目及びそれらの均等物、並びに追加の品目及びそれらの均等物を包含することを意味する。
【発明を実施するための最良の形態】
【００１６】
ここで添付図面、特に図１をより詳しく参照すると、参照符号１０は、部分図において電動モーターを示し、前記電動モーターは、モーター１０のモーターシャフト１４に動作可能に連結された本発明によるシャフト電荷放散組立体１２を有する。電荷放散組立体１２は、様々な直径のモーターシャフト１４を有する様々なサイズのモーター１０における使用に容易に適合可能である。
【００１７】
電荷放散組立体１２は、シャフト１４を取り囲む環状形をしている。電荷放散組立体１２は、シャフト１４とモーターフェースプレート１６のようなモーターのハウジングの一部との間に作動可能に配置されている。電荷放散組立体１２は、連続的に作動して、モーター１０の運転中にモーターシャフト１４に蓄積される静電荷を放散させる。
【００１８】
電荷放散組立体１２は、複数の個別の繊維フィラメント２０を有するブラシ組立体１８を含んでおり、前記繊維フィラメント２０は、個別に又は束ねられてシャフト１４の外周に配列されている。各フィラメント２０は、細い毛髪状構造であり、また炭素繊維、又はステンレス鋼、又はアクリル若しくはナイロン繊維のような導電性プラスチック、又は電場の中にあるときイオン化を引き起こすのに十分なほど小さな直径を提供できる他の任意の導電性繊維タイプのフィラメントから作られる。フィラメント２０は、約５μｍから約１００μｍの範囲内の直径を有することが好ましい。
【００１９】
フィラメント２０又はその束は、環状成形板２２の周りでＵ字状に形作られて、フィラメント２０の対向する遠位端部分が成形板２２の内径を通り越して延びるようになっている。代わりに、個々のフィラメント２０又はフィラメント２０の束が、その一方の遠位端部分だけが成形板２２の内径を通り越して延びるように成形板２２の片側又は両側に備えられてもよい。成形板２２は、金属、又は導電性プラスチック、又はその他の導電性材料から作られる。フィラメント２０又はその束は、導電性接着剤の層、または接着テープ、又は他の適切な手段（非図示）によって成形板２２に固定される。両面接着テープが成形板２２とフィラメント２０又はその束との間に使用される。代わりに、フィラメント２０が、外側表面につけられたテープを使って成形板２２の表面に直接に設置される。
【００２０】
フィラメント２０と成形板２２との組立体は環状フレーム２６内に形成された環状チャネル２４内に保持され、前記環状フレーム２６は、ブラシ組立体１８の対向する側に概ね沿って延びて互いに固定された第一環状フレーム部材２８及び第二環状フレーム部材３０を含んでいる。第一及び第二環状フレーム部材２８及び３０の直面する面は、その面の間に、フィラメント２０を上に有する成形板２２を受容する一方で、フィラメント２０の遠位端部分が位置決めされるところのチャネル２４を形成する。フレーム部材３０は、金属又は導電性プラスチック、又は他の導電性材料から作られて、ブラシ組立体１８に電気的に接続される。ブラシ組立体１８をフレーム部材３０の中に保持するための保持部材として働くフレーム部材２８は、フレーム部材３０に類似の材料で作ることが可能であるが、ゴム又は熱可塑性プラスチックのような絶縁材料で作ることも可能である。
【００２１】
図１に示される実施例では、電荷放散組立体１２の様々な構成要素が締り嵌めによって共に組み立てられている。ブラシ組立体１８は第二フレーム部材３０の中に位置決めされ、また第一フレーム部材２８は、第二フレーム部材３０の外側フランジ３２の中にぴったりと嵌まり込んでブラシ組立体１８に接している。次に、事前組立された電荷放散組立体１２は、フレーム２６のショルダ３４がフェースプレート１６の外側表面に係合する状態で、フランジ３２をシャフト１４の周囲のフェースプレート１６の開口の中に押し込むことによって固定される。組立体１２をモーター１０に固定するための他の手段、例えばフレーム２６を貫通してフェースプレート１６に固定されるねじ（非図示）のような手段も使用可能である。それにより放散組立体は、フェースプレート１６を通してモーターハウジングに電気的に接続され、またそれによって接地される。
【００２２】
フィラメント２０は、シャフト１４から放散組立体１２への電荷の直接的移動のための接地ブラシとしてシャフト１４と直接的接触状態にあることが可能である。フィラメント２０は、シャフト１４に蓄積する電荷によって電場が作り出されるとき、イオン化された場が生成されてシャフト１４からフィラメント２０への電荷の間接的な移動を可能にするように、シャフト１４から極僅か離間されることも可能である。他の適切な配置構成では、繊細で軽量なフィラメント２０は、モーター１０が休止しているとき又は低速のときシャフト１４に接触する。シャフト１４の速度が始動又は使用の間に増大するとき、空気の流れがフィラメント２０をシャフト１４から離す。フィラメント２０とシャフト１４との間の摩擦性接触の時間を削除又は削減することが、磨耗を減らしてフィラメント２０の寿命を延ばす。フレーム２６は、アースに電気的に接続されて、シャフト１４に蓄積された電荷は、アーク放電が発生可能となる前に放散デバイス１２をとおしてアースへ放散される。
【００２３】
当業者は、様々な異なる構造形が、シャフト１４の周囲でブラシ組立体１８を保持するためのフレーム及びフレーム部材であってモーターフェースプレート１６に固定されるフレーム及びフレーム部材に適合することを容易に理解するであろう。
【００２４】
本発明のシャフト電荷放散組立体は、モーター１０の他の機能要素と組み合わせられることが可能である。図２は、ベアリング絶縁シール４０がフレーム４２によってシャフト１４上に保持された、本発明の実施例を示している。フレーム４２は、フレーム部材２８に類似の第一フレーム部材４４と、シール４０を保持するためのポケットを形成する延長部分４８を有する修正された第二フレーム部材４６とを含んでいる。ブラシ組立体１８及びシール４０はフレーム４２内に配置され、次に全体の組立体がフェースプレート１６の中に圧入される。ショルダの代わりに、フレーム部材４６の外側フランジ５０が一つ以上のディンプル５２又はフェースプレート１６の外側表面に係合する他の表面突起を備えている。
【００２５】
図３は、本発明の更に別の実施例を示しており、そこでは、フレーム５４が、延長部分５８を含んだフレーム部材５６を有しており、前記延長部分５８はその中にベアリングシールをもっていない。延長部分５８は、フィラメント２０の周囲に十分な空間を効果的なイオン化のために提供し、さらに部材５８は金属絞り工程によって容易に成形される。
【００２６】
図４は、容易な製造のための本発明の有利な構造を示している。締り嵌めによってモーターフェースプレート１６の中に固定されるサイズの金属又は導電性プラスチックの外側リング６０が設けられている。対称の熱可塑性プラスチック又はゴムの保持リング６２及び６４が二部品で備えられて締り嵌めによってリング６０内に保持される。ブラシ組立体１８は、外側リング６０内の対称の保持リング６２及び６４の間に保持される。
【００２７】
本発明による放散組立体の性能を向上させるために、微細な導電性粉末７０が環状チャネル２４内のフィラメント２０の遠位端の周辺に備えられる。炭素粉末又は他の金属粉末のような粉末が使用される。微粒子７０は乾燥状態で使用可能である。しかし、微粒子７０が、様々なタイプのシリコンオイル、合成炭化水素油、エステル油、フッ素油、エーテル油、ポリグリコール油、鉱油、又はその他同等のものと混合されるなら、それらから生まれるペースト状物質がフィラメント２０の遠位端の周辺により容易に保持される。
【００２８】
図５は、図４に類似の実施例を示しているが、対称部材６２と６４との間でフィラメント２０の周辺に微粒子７０を有している。約１００μｍのフィラメント２０が、約５０μｍ未満の直径を有する導電性微粒子７０と共に効果的に働くことがわかっている。リング６２及び６４は、シャフト１４から最小限に離間されるような内径を有している。従って、リング６２及び６４は、シャフト１４に接して載っていないので摩擦が発生しない。しかしながら、シャフト１４とリング６２及び６４との間の間隔は、ベアリングからのグリース及びシャフト１４の内側の同様のもの、並びにシャフト１４の外端部からの埃又は他の汚染物質がリング６２及び６４を越えて容易に移行しないほど十分に小さい。従ってフィラメント２０は汚染物質から保護される。
【００２９】
導電性微粒子７０が使用された場合、モーターシャフト１４からフィラメント２０への電流の流れは二つの異なる機構によって生じ得る。第一の機構は、フィラメント先端周辺の空気のイオン化である。他方の機構は、粉末７０のシャフト１４に対する物理的接触、及び互いに接触する粉末７０の様々な微粒子、及びフィラメント２０に接触する微粒子７０によるものである。モーターシャフトが回転するとき、フィラメント２０は空気流によってシャフトから持ち上げられて離れる。しかしながら、シャフト１４が休止しているときも接触が生じないような磨耗がやがてフィラメントに生じたとしても、本装置はイオン化によってだけでなく導電性粉末７０を通した電流の流れによっても作動を続ける。
【００３０】
モーターシャフトは完全に円ではない。シャフトが回転するとき、フィラメント２０の遠位端からシャフト表面までの距離が、変化することがあり、またフィラメント２０の周囲の空気を効果的にイオン化するには大き過ぎることがある。微細な導電性粉末７０がシャフト１４の表面とフィラメント２０の遠位端との間の間隙に与えられた場合、導電性粉末は、間隙を充填することによって間隙距離の変化を補償する。従って、導電性粉末は、フィラメントの先端が、連続する空気のイオン化を提供するために、帯電された表面に十分に近接して保持される状況を生み出す。さらに、接地点に向かう電気的誘引力に起因して微粒子の移動がフィラメント先端に生じる。この微粒子移動は、回転シャフトからフィラメント先端への電子伝達を増大もさせる。
【００３１】
図６は、図５に示されるものに類似の本発明の更に別の実施例を示している。図５の類似の構造に加えて、図６の実施例はフィラメント２０とシャフト１４との間に薄い内側リング７２を含んでいる。内側リング７２は、導電性粉末７０をチャネル２４内により効果的に保持するために設けられている。汚染物質がフィラメント２０の周囲のチャネルに達するのをより効果的に防ぐために、環状凹部７４及び７６が保持リング６２及び６４のそれぞれの内側表面に設けられる。一つ以上のドレイン穴７８が各リング６２及び６４に設けられ、そのような一つのドレイン穴７８がリング６４に示されている。シャフト１４と保持リング６２及び６４との間の汚染物質は、溝７４及び７６に捕捉されて、遠心力によってドレイン穴７８を通って排出される。
【００３２】
図７は、モーターシャフト軸線に平行に配列された、本発明の更に別の実施例を示している。フィラメントの遠位端がシャフト１４に直面して配列されることに代えて、この実施例のフィラメント８０はシャフト１４の軸線にほぼ平行であり、また個別に又は束の形でステータ８２の周りに配置されている。フィラメント８０は保持リング８４によってステータ８２に接して保持されている。ローター８６がシャフト１４と共に回転する。ステータ８２及びローター８６は直面する関係にあり、またフィラメント８０は、ステータ８２を越えて、ローター８６の面に形成されステータ８２に直面するチャネル８８の中に延びている。導電性粉末９０が、チャネル８８の中のフィラメント８０の遠位端の周囲に与えられる。ローター８６及びステータ８２はシェル９２の中に組み立てられ、前記シェル９２は接地されたモーターハウジング９４の中に圧入される。シェル９２のリップ９６がローター８６に重なり合う。
【００３３】
本発明の更に別の実施例が図８に示されている。電荷放散組立体１００が、シャフト１４と共に回転するローター１０２と、それの半径方向外側のステーターリング１０４との間に配置されている。複数の個別のフィラメント１０８を含む複数のフィラメント束１０６が、雄型フレームプレート１１０と雌型フレームプレート１１２との間の組立体フレーム内に保持されている。前シールプレート１１４及び後シールプレート１１６がそれぞれ設けられている。スリンガ１１８及びＯリング１２０が前シールプレート１１４の外側に備えられている。導電性粉末１２２が、雄型プレート１１０及び雌型プレート１１２によって形成されたチャネル１２４内に封入されている。導電性テープ又は薄い導電性リングが、組立体１００の導電性を高めるために、ステーターリング１０４と雄型プレート１１０との間に使用可能である。図８に示されるように、この実施例の全ての構成要素は、締り嵌め又はスナップ嵌めするように構成され、そのことにより組立性を向上させている。
【００３４】
本発明による放散装置は、電力の電気信号を運ぶためのスリップリングとして使用されることが可能である。本発明による装置は、モーター又は他の回転機器のベアリングを保護するためのベアリング絶縁装置としても使用されることが可能である。本発明の放散装置は、接触接地ブラシとして、及び非接触イオン化装置としても働く。従って磨耗が生じたときでも、本発明による放散組立体は有効に作動を続ける。
【００３５】
前述のものの変形形態及び変更形態は本発明の範囲に含まれる。本明細書で開示されて規定された本発明が、本文及び／又は添付図面に挙げられたか又はそれらから明らかな二以上の個別の特徴の全ての代替的組み合わせにまで及ぶことが理解される。これら全ての異なる組み合わせは、本発明の多様な代替的態様を構成する。本明細書に記載された実施例は、本発明を実行することで知られる最良の様態を説明し、また当業者が本発明を利用することを可能にする。特許請求の範囲の請求項は、先行技術によって許容される程度まで、代替の実施態様を含むと解釈されるべきである。
【００３６】
本発明の様々な特徴が、特許請求の範囲の請求項に示される。
【図面の簡単な説明】
【００３７】
【図１】本発明によるモーターシャフト及び接地ブラシ組立体の断面図である。
【図２】図１の断面図に類似の部分断面図であるが、本発明の第二の実施例を図解する部分断面図である。
【図３】図２の断面図に類似の断面図であるが、本発明の第三の実施例を図解する断面図である。
【図４】本発明の第四の実施例を図解する断面図である。
【図５】本発明の第五の実施例を図解する断面図である。
【図６】本発明の第六の実施例を図解する断面図である。
【図７】本発明の第七の実施例を図解する断面図である。
【図８】本発明の第八の実施例を図解する断面図である。
【符号の説明】
【００３８】
１０    モーター
１２    電荷放散組立体
１４    シャフト
１６    モーターフェースプレート
１８    ブラシ組立体
２０    フィラメント
６０    外側リング
６２    保持リング
６４    保持リング
７０    導電性粉末
【図１】
2005124391.tif 000003
【図２】
2005124391.tif 000004
【図３】
2005124391.tif 000005
【図４】
2005124391.tif 000006
【図５】
2005124391.tif 000007
【図６】
2005124391.tif 000008
【図７】
2005124391.tif 000009
【図８】
2005124391.tif 000010